(57)【要約】本発明は包括的には、カバーを複数枚用紙集合体（１１２）に取り付ける装置（１００）および方法を対象とする。本発明に従った装置は、互いに対して変位可能な第１および第２締め付け部材（１０４、１０６）であって、第１および第２締め付け部材が用紙受け取り容積部分の第１寸法を画定し、また、用紙受け取り容積部分の第２寸法が用紙ストッパ、および第１および第２締め付け部材に直交する第１平面によって画定されることを特徴とする第１および第２締め付け部材と、第１ローラ（１１６）を第１平面に沿って変位させて、第１平面に垂直で用紙受け取り容積部分に向かう方向の力を加えるローラ駆動装置（１１３）とを備える。
2005537151.tif 000002
【特許請求の範囲】
【請求項１】
カバーを複数枚用紙集合体（１１２）に取り付ける装置（１００）であって、
互いに対して変位可能な第１および第２締め付け部材（１０４、１０６）であって、該第１および第２締め付け部材が用紙受け取り容積部分の第１寸法を画定し、また、前記用紙受け取り容積部分の第２寸法が用紙ストッパ、および該第１および第２締め付け部材に直交する第１平面によって画定されることを特徴とする第１および第２締め付け部材（１０４、１０６）と、
第１ローラ（１１６）を前記第１平面に沿って変位させて、前記第１平面に垂直で前記用紙受け取り容積部分に向かう方向の力を加えるローラ駆動装置（１１３）と、
を備えることを特徴とする装置。
【請求項２】
前記用紙受け取り容積部分内を第１寸法の方向に移動するように動作可能なカバー制御部材（１１８）を備えており、該カバー制御部材（１１８）は、前記第１および第２締め付け部材の一方の窪み内へ移動可能であることを特徴とする、請求項１に記載の装置。
【請求項３】
前記カバー制御部材は、
回転駆動機構に取り付けられて回転する第２ローラであって、それにより、前記カバーの第１フラップを前記用紙受け取り容積部分に引き込む第２ローラ、
回転駆動機構に取り付けられて回転する第２ローラであって、それにより、前記カバーの第１フラップを前記用紙受け取り容積部分から押し出す第２ローラ、および、
回転駆動機構に取り付けられて回転する第２ローラであって、それにより、前記カバーの第１フラップを前記用紙受け取り容積部分に引き込むか、あるいは前記カバーの第１フラップおよび前記複数枚用紙集合体を前記用紙受け取り容積部分から押し出す第２ローラ、
のうちの１つであることを特徴とする、請求項１に記載の装置。
【請求項４】
カバーおよび前記複数枚用紙集合体の両側部に力を加えるように前記第１ローラに対向するローラを備えることを特徴とする、請求項１に記載の装置。
【請求項５】
前記用紙受け取り容積部分の外に位置して、第１フラップを前記用紙受け取り容積部分内へ送出する供給装置を備えることを特徴とする、請求項１に記載の装置。
【請求項６】
請求項１に記載の装置（１００）を使用して複数枚用紙集合体にカバーを取り付ける方法であって、
前記第１および第２締め付け部材（１０４、１０６）によって少なくとも部分的に画定された用紙受け取り容積部分内に、第１縁部を有する前記複数枚用紙集合体（１１２）を配置するステップと、
前記第１フラップを前記複数枚用紙集合体の第１側部によって受け取るよう、前記カバーの第１フラップを供給位置から前記用紙受け取り容積部分内へ送出するステップと、
前記第１および第２締め付け部材で前記複数枚用紙集合体および前記第１フラップを締め付けるステップと、
前記カバーの背を前記第１縁部に押し付けるよう、前記第１ローラ（１１６）を前記用紙受け取り容積部分の、前記第１および第２締め付け部材に直交する位置にある第１平面に沿って変位させるステップと、
を含むことを特徴とする方法。
【請求項７】
前記第１フラップを送出する前記ステップは、前記第１フラップを前記用紙受け取り容積部分に引き込む、前記用紙受け取り容積部分内のカバー制御部材を備えることを特徴とする、請求項６に記載の方法。
【請求項８】
前記複数枚用紙集合体の少なくとも一部分を前記第１および第２締め付け部材の一方から変位させるステップを含むことを特徴とする、請求項６に記載の方法。
【請求項９】
前記カバーの第１フラップを前記用紙受け取り容積部分内へ送出する間、前記第１フラップの少なくとも一部分が前記第１側部から分離するよう、供給位置および前記用紙受け取り容積部分の少なくとも一方を、変位させるステップを含むことを特徴とする、請求項６に記載の方法。
【請求項１０】
前記複数枚用紙集合体および前記第１フラップを前記用紙受け取り容積部分から搬出するステップであって、それにより、前記第１ローラが前記カバーの第２フラップを前記複数枚用紙集合体の第２側部に押し付ける、搬出するステップを含むことを特徴とする、請求項６に記載の方法。
【発明の詳細な説明】
【技術分野】
【０００１】
［背景］
［発明の分野］
本発明は、包括的には本、パンフレットまたは他の形式の冊子品の製造に関する。さらに詳しくは、本発明は、複数枚の用紙集合体にカバーを取り付ける装置および方法に関する。
【０００２】
［背景情報］
今日、さまざまな異なった製本システムが、本、マニュアル、公報、年次報告書、広報、事業計画書およびパンフレットを含めた、熟練者によって製本されたような書類を提供することができる。製本システムは通常、高品質大量生産運転のインライン製造用に構成された商業的（または業務）製本システムか、または、短期の「オンデマンド」運転用に構成された社内（またはオフィス）製本システムとして分類することができる。商業的製本システムは通常、本のサイズの点で広範な製本能力を提供するが、各生産運転の段取りコストを埋め合わせるためと共に、自動インライン生産設備に必要な投資を回収するために、大量生産運転（たとえば、数千部程度）を必要とする。他方、オフィス製本システムは通常、手動介入を伴うと共に、提供する製本能力が比較的少ないが、わずかに２〜３部といった短期オンデマンド生産運転の場合でも、商業的製本システムより段取りおよび運転コストが大幅に低減する。
【０００３】
一般的に、製本システムは、複数枚の用紙（すなわち、ページ）を集めて、背および２つのヒンジ領域を備えたテキスト本体（本ブロック）にする。製本システムは、用紙を綴じ合わせるためにテキスト本体の背に接着剤を塗布する。テキスト本体の側部ヒンジ領域または背か、あるいはその両方の接着剤により、カバーが綴じテキスト本体に取り付けられるであろう。通常、市販のペーパーバック本のカバーは、テキストの背に取り付けられる。他方、ハードカバー本および一部のペーパーバックの「平らに開く」本のカバーは、テキスト本体の背に取り付けられない（すなわち、背が浮いている）。
【０００４】
カバーは一般的に、平面的な部材を使用してカバーの背領域に力を加えることによって取り付けられる。たとえば、参照によって全体的に本明細書に援用される国際公開第ＷＯ９９／３８７０７号として１９９９年８月５日に公開されたMarshの国際特許出願第ＰＣＴ／ＵＳ９９／００２６５号に製本システムが記載されている。Marsh出願では、背領域に沿って配置された接着剤ストリップを有するカバーが、１対のプレスローラの間に配置され、それにより、背領域を下にしたポケットを形成する。テキスト本体をそのポケットに挿入し、それにより、テキスト本体の縁部を接着ストリップと接触した状態にする。プレスローラを強制的に互いに向けて移動させ、カバーをテキスト本体の前後側部にしっかり押し付けると共に、テキスト本体を背領域付近で緊密状に押し合わせる。音波工具が音波エネルギ（すなわち、振動圧）をカバーの背領域を介して伝達して接着ストリップを活性化させ、それにより、テキスト本体およびカバーが結合して綴じ本になる。
【０００５】
［発明の概要］
本発明の例示的な実施形態によれば、カバーを複数枚の用紙集合体に取り付ける装置であって、互いに対して変位可能な第１および第２締め付け部材であって、該第１および第２締め付け部材が用紙受け取り容積部分の第１寸法を画定し、また、用紙受け取り容積部分の第２寸法が用紙ストッパ、および該第１および第２締め付け部材に直交する第１平面によって画定されることを特徴とする第１および第２締め付け部材と、第１ローラを第１平面に沿って変位させて、第１平面に垂直で用紙受け取り容積部分に向かう方向の力を加えるローラ駆動装置と、を備える装置が提供される。
【０００６】
さらに、本発明の例示的な実施形態によれば、複数枚の用紙集合体にカバーを取り付ける方法であって、第１および第２締め付け部材によって少なくとも部分的に画定された用紙受け取り容積部分内に、第１縁部を有する複数枚の用紙集合体を配置するステップと、第１フラップを複数枚用紙集合体の第１側部によって受け取るよう、カバーの第１フラップを供給位置から用紙受け取り容積部分内へ送出するステップと、第１および第２締め付け部材で複数枚の用紙集合体および第１フラップを締め付けるステップと、カバーの背を第１縁部に押し付けるよう、第１ローラ（１１６）を用紙受け取り容積部分の、第１および第２締め付け部材に直交する位置にある第１平面に沿って変位させるステップと、を含む方法が提供される。
【０００７】
当業者であれば、好適な実施形態の以下の詳細な説明を、同様な参照番号を使用して同様な部品を表している添付図面と組み合わせて読むことから、本発明の他の目的および利点がさらに明らかになるであろう。
【０００８】
［好適な実施形態の詳細な説明］
複数枚用紙集合体にカバーを取り付ける装置１００が、図１の例示的な実施形態に示されている。本明細書で引用するとき、「複数枚用紙集合体」とは、綴じられたテキスト本体（すなわち、縁部を互いに接着した多数枚ページ）か、あるいは綴じられていないテキスト本体（すなわち、綴じ接着剤を用いていない多数枚ページ）のいずれかのことである。図１の例示的な実施形態のテキスト本体１１２などの複数枚用紙集合体は、カバーの取り付け前に必ずしも綴じられていなくてもよい。カバーの取り付けに使用されるものと同じ接着剤を、複数枚用紙集合体の綴じ合わせにも使用することができる。本装置１００は、デスクトップまたはオフィス製本システム（たとえば、オンデマンドの製本要求を満たすように構成されたもの）、大量生産設定、またはテキスト本体へのカバーの取り付けが望まれる任意の他のシステムで実施することができる。
【０００９】
例示的な実施形態は、互いに対して変位可能な第１および第２締め付け部材を有する。たとえば、図１の装置は、下側クランプ１０４および上側クランプ１０６を有する。上側クランプ１０６は、下側クランプ１０４に対して１０５のように手動で移動可能である。代替として、下側クランプ１０４および上側クランプ１０６の一方または両方を移動させるために、機械的操作に使用される機械的機構または他の形式の装置を使用することができる。
【００１０】
図１の例示的な実施形態の第１および第２締め付け部材（たとえば、１０４および１０６）は、用紙受け取り容積部分の寸法を画定する。たとえば、テキスト本体１１２は、下側クランプ１０４および上側クランプ１０６間にある。したがって、下側クランプ１０４および上側クランプ１０６間の距離が、空間１０８の寸法を画定する。用紙受け取り容積部分（たとえば、空間１０８）の別の寸法は、用紙ストッパ（たとえば、ジョグ１０８）と、第１締め付け部材（たとえば、下側クランプ１０４）および第２締め付け部材（たとえば、上側クランプ１０６）に直交する平面（たとえば、側部１１０）との間に画定される。図１に示されているように、テキスト本体１１２は、方向１１１においてジョグ１０７に当てて積み重ねられるか、またはそれに当てて配置される。テキスト本体１１２の収容または受け取りを行う空間１０８の側部１１０は、ジョグ１０７に向かう方向１１１においてテキスト本体１１２の大きさによって定められる位置にあることができる。さらに詳しく言うと、側部１１０は、テキスト本体の、カバーの背部分を受け取る縁部に沿っていることができる。
【００１１】
例示的な実施形態は、第１ローラを平面に沿って変位させて、その平面に垂直で用紙受け取り容積部分に向かう方向の力を加えるローラ駆動部を有する。たとえば、図１は、綴じローラ１１６を側部１０８に沿って方向１１５に移動させるスクリューロッド１１３を示す。スクリューロッド１１３は、図１に示されているような電気機械装置１１４によるか、または手動操作用のハンドクランクなどの任意の他の動力供給機構によって回転させることができる。綴じローラは、合成ゴムなどの柔軟な材料か、またはカバーの背領域を横切って力を加える他の種類の材料にすることができる。スクリューロッド１１３が綴じローラ１１６を方向１１５に沿って移動させると、側部１１０に垂直な方向１１１に力を加えることができる。図１のスクリューロッド１１３の代替として、ローラ駆動装置は、ベルト、ケーブル、油圧部材、歯車、カム装置、または平面（たとえば、側部１１０）に垂直な方向１１１の力を加えるために平面（たとえば、側部１１０）に沿ってローラ（たとえば、背ローラ１１６）を変位させる他の種類の機械的機構にすることができる。
【００１２】
例示的な実施形態は、用紙受け取り容積部分内で用紙受け取り容積部分の第１寸法の方向に移動するように動作可能なカバー制御部材を有する。たとえば、図１に示されているように、カバーローラ１１８は、空間１０８内で（すなわち、下側クランプ１０４および上側クランプ１０６間で）方向１１９に沿って手動または自動的に移動するように動作可能である。図１に示されているように、例示的な実施形態は、第１および第２締め付け部材の一方の窪み内へ移動可能であって、第２ローラであるカバー制御部材を有することができる。たとえば、図１の上側クランプ１０６は、カバーローラ１１８を受け取るためのＵ字形窪み１２０を有する。
【００１３】
カバー制御部材は、第２ローラ（すなわち、軸を中心にして回転する質量体）として構成する必要はない。たとえば、カバー制御部材は、丸み付き先端を有するバーであって、カバーのフラップ（折返し部分）を複数枚用紙集合体と丸み付き先端との間に挿入できるようにするバーであることができる。しかし、カバー制御部材を使用してカバーのフラップを用紙受け取り容積部分に引き込む場合、たとえば、カバー制御部材は、回転駆動機構に取り付けられて第２制御ローラを回転させる第２ローラであって、それにより、カバーのフラップを用紙受け取り容積部分に引き込む第２ローラにすることができる。図１の例示的な実施形態に示されているように、回転駆動機構は、カバーローラ１１８に取り付けられたハンドル１２０にすることができる。代替として、電気機械装置または任意の他の動力供給機構を使用して第２ローラを回転させ、それにより、カバーの第１フラップを用紙受け取り容積部分に引き込むことができる。
【００１４】
代替か、または追加として、カバー制御部材を使用してカバーのフラップを用紙受け取り容積部分から押し出す場合、カバー制御部材は、回転駆動機構に取り付けられて回転する第２ローラであって、それにより、カバーのフラップを用紙受け取り容積部分から押し出す第２ローラにすることができる。上述したように、図１の例示的な実施形態に示されているように、回転駆動機構は、カバーローラ１１８に取り付けられたハンドル１２０にすることができ、電気機械装置または任意の他の動力供給機構が第２ローラを回転させ、それにより、カバーのフラップおよび複数枚用紙集合体を用紙受け取り容積部分から押し出すことができる。
【００１５】
例示的な実施形態は、カバーおよび複数枚用紙集合体の両側部に力を加えるように第１ローラに対向するローラを有する。たとえば、図１の例示的な実施形態における抜き出しローラ１２２および綴じローラ１１６は、テキスト本体１１２を装置１００から取り出すか、または押し出すとき、カバーおよびテキスト本体１１２の両側部に力を加えるように構成されている。図２、図３ａ〜図３ｆおよび図４ａ〜図４ｆｄの例示的な実施形態における以下の開示は、カバーおよび複数枚用紙集合体の両側部に力を加えるように第１ローラに対向するローラのさらなる詳細および実例を示す。
【００１６】
図２は、複数枚用紙集合体にカバーを取り付けるためのステップの例示的な実施形態をフローチャート２００で示す。第１および第２締め付け部材によって少なくとも部分的に画定された用紙受け取り容積部分内に、第１縁部を有する複数枚用紙集合体を配置することが、図２のブロック２０２内に記載された方法ステップである。
【００１７】
ブロック２０２のステップの実例を、装置３００の例示的な実施形態に関して示す。さらに詳しく言うと、図３ａは、縁部３１２ａを有して下側クランプ３０４および上側クランプ３０６間に配置されたテキスト本体３１２を示す。また、図３ａは、 第１フラップ３２４ａ、背３２４ｂおよび第２フラップ３２４ｃを備えたカバー３２４を示している。フラップ３２４ａ、３２４ｃおよび背３２４ｂの一部は、接着剤３２７、たとえば、感圧性の接着剤などを有する。カバー４２４のヒンジ（すなわち、３２５および３２６）も、図３に示されている。図３のカバー３２４の背３２４ｂに接着剤が示されているが、カバーの背３２４ｂの接着剤３２７を省いて、背３２４が浮くようにしてカバー３２４を取り付けることは、本発明の範囲に入る。「浮いた背」の場合、テキスト本体３１２は綴じられるであろう。さらに、背を浮き背にするかどうかに関係なく、テキスト本体３１２を綴じることができる。
【００１８】
図２の例示的な実施形態は、破線ブロック２０４内に記載されているように、複数枚用紙集合体の少なくとも一部分を、複数枚用紙集合体が載置されている第１および第２締め付け部材の一方から変位させる方法ステップを含む。破線ブロックは、装置の例示的な実施形態に応じて決めることができるステップを表す。さらに詳しく言うと、例示的な実施形態は、複数枚用紙集合体が配置されている締め付け部材内にカバー制御部材を有することができる。
【００１９】
たとえば、図４ａの例示的な実施形態の装置４００は、下側クランプ４０４および下側クランプ４０４内のカバーローラ４１８上に配置されたテキスト本体４１２を示す。テキスト本体４１２が下側クランプ４０４上に配置され、カバー４２４のフラップ４２４ａがテキスト本体４１２および下側クランプ４０４の間に送り込まれようとしているので、カバーローラ４１８はテキスト本体４１２に接して上昇し、それによってフラップ４２４ａを送り込むことができる間隙４２８を生じることができる。
【００２０】
図２の破線ブロック２０４に記載されている方法ステップは、水平向きに位置する装置４００（たとえば、下側クランプ４０４内のカバーローラ４１８）に関して記載されているが、破線ブロック２０４に記載されている方法ステップは、直立向きを含めてその向きまで傾斜した向きの装置４００に使用することができる。この方法ステップは、複数枚用紙集合体を重力以外の、または重力に付加される力（たとえば、テキストを横切る保持バー）によって所定位置に保持される締め付け部材にも適用可能である。
【００２１】
第１フラップを複数枚用紙集合体の第１側部によって受け取るよう、カバーの第１フラップを供給位置から用紙受け取り容積部分内へ送出することが、図２のブロック２０６内に方法ステップとして示されている。たとえば、図３ｂに示されているように、フラップ３２４ａは、下側クランプ３０４および上側クランプ３０６間にあるテキスト本体３１２の側部３１２ａ上へ送達される。図４ｂに示されているような別の例では、フラップ４２４ａは、下側クランプ４０４および上側クランプ４０６間にあるテキスト本体４１２の側部４１２ｂ上へ送達される。
【００２２】
例示的な実施形態は、第１フラップを供給装置によって用紙受け取り容積部分の外の供給位置から用紙受け取り容積部分内へ送出することを含むことができる。たとえば、図３ｂは、供給位置に位置する供給装置（たとえば、供給ローラ３２８）によって（たとえば、下側クランプ３０４および上側クランプ３０６間にある位置で）用紙受け取り容積部分内へ送られる第１フラップ（たとえば、フラップ３２４ａ）を示す。図３ｂは、供給用紙が下側クランプ３０４および上側クランプ３０６間の位置にあることができることを示すが、そうである必要はない。付加的か、代替として、例示的な実施形態は、カバー制御部材で第１フラップを用紙受け取り容積部分に引き込むことによって、第１フラップを用紙受け取り容積部分内へ送達することを含むことができる。
【００２３】
図３ｂの例示的な実施形態に示されているように、カバーローラ３１８は方向３２８ａに回転してフラップ３２４ａを引っ張る一方、供給ローラ３２８が方向３２８ａに回転してカバー３２４を移動させる（たとえば、押す）。別法として、供給ローラ３２８を使用してフラップ３２４ａを直接的にカバーローラ３１８に挿入することができ、それから、カバーローラ３１８に動力を供給してフラップ３２４ａを方向３１８ａに引っ張り、それにより、フラップ３２４ａの送達を完了することができる。供給装置は、必ずしも供給ローラ３２８などのローラではなく、作業者が手動で、または任意の他の搬送機構を使用して行うこともできる。
【００２４】
図２の例示的な実施形態は、破線ブロック２０８に示されているように、カバーの第１フラップを用紙受け取り容積部分内へ送出する間、第１フラップの少なくとも一部分を第１側部から分離させるよう、供給位置および用紙受け取り容積部分の少なくとも一方を変位させる代替方法ステップを含むことができる。
【００２５】
破線ブロックの使用は、選択された装置の例示的実施形態に応じて選択することができる。たとえば、図３ｂに示されているように、カバーは、供給ローラ３２８からカバー３２４とほぼ同一平面上にあるテキスト本体３１２の側部３１２ａ上に送られる。本明細書で使用するとき、「ほぼ」という用語は、動作中にカバーを適切に受け取るのに十分に、テキスト本体がカバーの望ましい供給位置に整合していることを意味する。図３ｃに示されているように、カバー３２４の送達完了に先立って、フラップ３２４ａ上の接着剤３２７がテキスト本体に付着することを防止するために、カバー３２４の送出中、供給ローラ３２８を方向３２８ａに沿って、または任意の所望方向に沿って変位させることができる。図３ｃの実施形態では、供給ローラ３２８を変位させるのに使用される移動が、フラップの一部（たとえば、フラップの接着剤が付いた部分）をテキスト本体３１２の第１側部３１２ａから分離させる空間３３０を生じる。付加的か、代替として、用紙受け取り容積部分（たとえば、両方のクランプ３０４、３０６か、またはテキスト本体が載置されているクランプ）を変位させて、フラップの一部分をテキスト本体３１２の第１側部３１２ａから分離させる空間３３０に影響を与える（たとえば、増減させる）ことができる。図４ｃは、フラップ４２４ａ上の接着剤４２７がテキスト本体４１２の一部と接触しないようにしてカバー４２４を完全に送達できるようにするために、カバーローラ４１８の例示的な変位をいかに利用できるかを示す。
【００２６】
図２の方法ステップ２１０は、第１および第２締め付け部材での複数枚用紙集合体および第１フラップの例示的な締め付けを示す。たとえば、図３ｄに示されているように、上側クランプ３０６を下方へ移動させてテキスト本体３１２およびフラップ３２４ａの両方に圧力を加え、それにより、テキスト本体３１２の第１側部をフラップ３２４に接着剤３２７で取り付ける。同様に、図４ｄは、上側クランプ４０６を下方へ移動させてテキスト本体４１２およびカバー４２４のフラップに圧力を加え、それによってテキスト本体４１２をカバー４２４に取り付けるところを示す。
【００２７】
図２の例示的な実施形態の方法ステップ２１２に示されているように、締め付けの後、第１ローラを用紙受け取り容積部分の、第１および第２締め付け部材に直交する位置にある第１平面に沿って変位させて、それにより、カバーの背を第１縁部に押し付けることができる。図３ｅは、方向３１６ａに転がり下りて、それにより、背部分３２４をテキスト本体の縁部３１２ａに当ててジョグ３０７に向かう方向に押し付ける背ローラ３１６を示す。図３ｅの例では、接着剤３２７がカバー３２４の背３２４ｂに塗布されているので、カバー３２４の背３２４ｂがテキスト本体３１２の縁部に取り付けられる。次に、テキスト本体３１２およびフラップ３２４ａの締め付けを解除する。
【００２８】
図２の例示的な実施形態は、第１ローラがカバーの第２フラップを複数枚用紙集合体の第２側部に押し付けるよう、複数枚用紙集合体および第１フラップを用紙受け取り容積部分から搬出する方法ステップ２１４を含む。たとえば、図３ｆは、用紙受け取り容積部分（たとえば、下側クランプ３０４および上側クランプ３０６間の空間）内のカバー制御部材（たとえば、カバーローラ３１８）が複数枚用紙集合体（たとえば、テキスト本体３１２）および第１フラップ（たとえば、フラップ３２４ａ）を用紙受け取り容積部分から方向３３１に押して突き出すところを示す。別法では、テキスト本体３１２を取り付け済みカバー３２４と共に手で引き出すことができる。
【００２９】
図３ｆは、テキスト本体３１２を取り付け済みカバー３２４と共に引き出すとき、背ローラ３１６が、カバー３２４のフラップ３２４ｃをテキスト本体３１２の側部３１２ｃに押し付けるように構成することができることを示す。複数枚用紙集合体および第１フラップを用紙受け取り容積部分から搬出する間、第１フラップ（たとえば、フラップ３２４ａ）、第２フラップ（たとえば、フラップ３２４ｃ）および複数枚用紙集合体（たとえば、テキスト本体３１２）を第３ローラ（たとえば、突き出しローラ３２２）および第１ローラ（たとえば、背ローラ３１６）間で押し付けることができる。
【００３０】
本発明を、その精神または本質的特徴から逸脱することなく、さまざまな特定の形で具現することができることは、当業者によって理解されるであろう。本明細書に開示されている実施形態は、すべての点で例示的であって、制限するものではないと考えられる。本発明の範囲は、以上の記載ではなく、添付の特許請求の範囲によって表されており、その同等物の意味および範囲に入るすべての変化は、それに包含されるものとする。
【図面の簡単な説明】
【００３１】
【図１】カバーを複数枚用紙集合体に取り付ける装置を示す例示的な実施形態の斜視図である。
【図２】カバーを複数枚用紙集合体に取り付けるステップの例示的な実施形態をフローチャートで示す図である。
【図３ａ】図２の例示的な実施形態のステップを説明するための、図１の例示的な実施形態の装置の代表的な部分横断面図である。
【図３ｂ】図２の例示的な実施形態のステップを説明するための、図１の例示的な実施形態の装置の代表的な部分横断面図である。
【図３ｃ】図２の例示的な実施形態のステップを説明するための、図１の例示的な実施形態の装置の代表的な部分横断面図である。
【図３ｄ】図２の例示的な実施形態のステップを説明するための、図１の例示的な実施形態の装置の代表的な部分横断面図である。
【図３ｅ】図２の例示的な実施形態のステップを説明するための、図１の例示的な実施形態の装置の代表的な部分横断面図である。
【図３ｆ】図２の例示的な実施形態のステップを説明するための、図１の例示的な実施形態の装置の代表的な部分横断面図である。
【図４ａ】図２の例示的な実施形態に記載されたステップを説明するための、装置の別の例示的な実施形態の代表的な部分横断面図である。
【図４ｂ】図２の例示的な実施形態に記載されたステップを説明するための、装置の別の例示的な実施形態の代表的な部分横断面図である。
【図４ｃ】図２の例示的な実施形態に記載されたステップを説明するための、装置の別の例示的な実施形態の代表的な部分横断面図である。
【図４ｄ】図２の例示的な実施形態に記載されたステップを説明するための、装置の別の例示的な実施形態の代表的な部分横断面図である。
【図１】
2005537151.tif 000003
【図２】
2005537151.tif 000004
【図３ａ】
2005537151.tif 000005
【図３ｂ】
2005537151.tif 000006
【図３ｃ】
2005537151.tif 000007
【図３ｄ】
2005537151.tif 000008
【図３ｅ】
2005537151.tif 000009
【図３ｆ】
2005537151.tif 000010
【図４ａ】
2005537151.tif 000011
【図４ｂ】
2005537151.tif 000012
【図４ｃ】
2005537151.tif 000013
【図４ｄ】
2005537151.tif 000014
【国際調査報告】
2005537151.tif 000015
2005537151.tif 000016
2005537151.tif 000017